(57)【要約】【課題】トリミング処理を行った場合でも、画質の良好な画像を得ることができる撮像装置を提供する。【解決手段】光学系による像を撮像し、撮像した像に対応する画像信号を出力する撮像部１１０と、光学系からの光束を受光して受光信号を出力する受光部１３７と、受光部１３７により出力された受光信号に基づいて、対象とする像に相当する画像を、特定被写体として特定する特定部１７０と、特定部１７０により特定された特定被写体の撮影画面内における大きさを検出する検出部１７０と、撮像部１１０により出力された画像信号に基づいて、圧縮処理を施した画像データを生成する生成部１７０と、を備え、生成部１７０は、検出部１７０により検出された特定被写体の撮影画面内における大きさに基づいて、圧縮処理における画像データの画像圧縮率を設定することを特徴とする撮像装置。【選択図】  図１
2013131851.tif 000002
【特許請求の範囲】
【請求項１】
光学系による像を撮像し、撮像した像に対応する画像信号を出力する撮像部と、
前記光学系からの光束を受光して受光信号を出力する受光部と、
前記受光部により出力された前記受光信号に基づいて、対象とする像に相当する画像を、特定被写体として特定する特定部と、
前記特定部により特定された前記特定被写体の撮影画面内における大きさを検出する検出部と、
前記撮像部により出力された前記画像信号に基づいて、圧縮処理を施した画像データを生成する生成部と、を備え、
前記生成部は、前記検出部により検出された前記特定被写体の撮影画面内における大きさに基づいて、前記圧縮処理における前記画像データの画像圧縮率を設定することを特徴とする撮像装置。
【請求項２】
請求項１に記載の撮像装置であって、
前記生成部は、前記検出部により検出された前記特定被写体の撮影画面内における大きさに基づいて、前記画像データの画像圧縮率を、多段階に設定可能であることを特徴とする撮像装置。
【請求項３】
請求項２に記載の撮像装置であって、
前記生成部は、前記検出部により検出された前記特定被写体の撮影画面内における大きさが小さいほど、前記画像データの画像圧縮率を、段階的に低くすることを特徴とする撮像装置。
【請求項４】
請求項１〜３のいずれかに記載の撮像装置であって、
前記検出部により検出された前記特定被写体の撮影画面内における大きさに基づいて、撮像範囲を決定する撮像範囲決定部をさらに備え、
前記生成部は、前記撮像範囲決定部により決定された前記撮像範囲から出力された前記画像信号に基づいて、前記画像データを生成することを特徴とする撮像装置。
【請求項５】
請求項１〜４のいずれかに記載の撮像装置であって、
前記検出部は、前記光学系の像面内に設定された複数の焦点検出位置のうち、前記特定被写体を捕捉している前記焦点検出位置の数に基づいて、前記特定被写体の撮影画面内における大きさを検出することを特徴とする撮像装置。
【発明の詳細な説明】
【技術分野】
【０００１】
本発明は、撮像装置に関するものである。
【背景技術】
【０００２】
従来より、撮像された特定被写体が小さい場合に、撮像された画像から特定被写体を含む所定範囲の画像を切り出し、切り出した画像を拡大するトリミング処理を行うことで、特定被写体を適切な大きさで撮像する撮像装置が知られている。
【先行技術文献】
【特許文献】
【０００３】
【特許文献１】特開２０１０−１６６９４号公報
【発明の概要】
【発明が解決しようとする課題】
【０００４】
しかしながら、従来技術では、撮像された画像から特定被写体を含む所定範囲の画像を切り出し、切り出した画像を拡大するトリミング処理により、画像の画質が低下してしまい、撮影者が所望する画質の画像が得らない場合があった。
【０００５】
本発明が解決しようとする課題は、トリミング処理を行った場合でも、画質の良好な画像を得ることができる撮像装置を提供することである。
【０００６】
この発明は、以下の解決手段によって上記課題を解決する。なお、発明の実施形態を示す図面に対応する符号を付して説明するが、この符号は発明の理解を容易にするためだけのものであって発明を限定する趣旨ではない。
【０００７】
［１］本発明に係る撮像装置は、光学系による像を撮像し、撮像した像に対応する画像信号を出力する撮像部（１１０）と、前記光学系からの光束を受光して受光信号を出力する受光部（１３７）と、前記受光部により出力された前記受光信号に基づいて、対象とする像に相当する画像を、特定被写体として特定する特定部（１７０）と、前記特定部により特定された前記特定被写体の撮影画面内における大きさを検出する検出部（１７０）と、前記撮像部により出力された前記画像信号に基づいて、圧縮処理を施した画像データを生成する生成部（１７０）と、を備え、前記生成部は、前記検出部により検出された前記特定被写体の撮影画面内における大きさに基づいて、前記圧縮処理における前記画像データの画像圧縮率を設定することを特徴とする。
【０００８】
［２］上記撮像装置に係る発明において、前記生成部（１７０）が、前記検出部（１７０）により検出された前記特定被写体の撮影画面内における大きさに基づいて、前記画像データの画像圧縮率を、多段階に設定できるように構成することができる。
【０００９】
［３］上記撮像装置に係る発明において、前記生成部（１７０）は、前記検出部（１７０）により検出された前記特定被写体の撮影画面内における大きさが小さいほど、前記画像データの画像圧縮率を、段階的に低くするように構成することができる。
【００１０】
［４］上記撮像装置に係る発明において、前記検出部（１７０）により検出された前記特定被写体の撮影画面内における大きさに基づいて、撮像範囲を決定する撮像範囲決定部（１７０）をさらに備え、前記生成部（１７０）は、前記撮像範囲決定部により決定された前記撮像範囲から出力された前記画像信号に基づいて、前記画像データを生成するように構成することができる。
【００１１】
［５］上記撮像装置に係る発明において、前記検出部（１７０）は、前記光学系の像面内に設定された複数の焦点検出位置のうち、前記特定被写体を捕捉している前記焦点検出位置の数に基づいて、前記特定被写体の撮影画面内における大きさを検出するように構成することができる。
【発明の効果】
【００１２】
本発明によれば、トリミング処理を行った場合でも、画質の良好な画像を得ることができる。
【図面の簡単な説明】
【００１３】
【図１】図１は、本実施形態に係るカメラを示すブロック図である。
【図２】図２は、焦点検出モジュールの構成例を示す図である。
【図３】図３は、撮影光学系の撮影画面内に設定された複数の焦点検出エリアの配置例を示す図である。
【図４】図４は、本実施形態に係るカメラの動作を示すフローチャートである。
【図５】図５は、特定被写体対応エリアを説明するための図である。
【図６】図６は、特定被写体対応エリアを説明するための図である。
【図７】図７は、特定被写体対応エリアを説明するための図である。
【図８】図８は、特定被写体の撮影画面内における大きさに基づいて、画像データの画像圧縮率を設定する方法を説明するための図である。
【発明を実施するための形態】
【００１４】
以下、本発明の実施形態を図面に基づいて説明する。図１は、本実施形態に係る一眼レフデジタルカメラ１を示すブロック図であり、本発明の撮像装置に関する構成以外のカメラの一般的構成については、その図示と説明を一部省略する。
【００１５】
図１に示すように、本実施形態の一眼レフデジタルカメラ１（以下、単にカメラ１という。）は、カメラボディ１００とレンズ鏡筒２００とを備え、カメラボディ１００とレンズ鏡筒２００とは着脱可能に結合される。
【００１６】
レンズ鏡筒２００には、レンズ２１１，２１２，２１３、および絞り２２０を含む撮影光学系が内蔵されている。
【００１７】
フォーカスレンズ２１２は、レンズ鏡筒２００の光軸Ｌ１に沿って移動可能に設けられ、エンコーダ２６０によってその位置が検出されつつレンズ駆動モータ２３０によってその位置が調節される。
【００１８】
このフォーカスレンズ２１２の光軸Ｌ１に沿う移動機構の具体的構成は特に限定されない。一例を挙げれば、レンズ鏡筒２００に固定された固定筒に回転可能に回転筒を挿入し、この回転筒の内周面にヘリコイド溝（螺旋溝）を形成するとともに、フォーカスレンズ２１２を固定するレンズ枠の端部をヘリコイド溝に嵌合させる。そして、レンズ駆動モータ２３０によって回転筒を回転させることで、レンズ枠に固定されたフォーカスレンズ２１２が光軸Ｌ１に沿って直進移動することになる。なお、レンズ鏡筒２００にはフォーカスレンズ２１２以外のレンズ２１１，２１３が設けられているが、ここではフォーカスレンズ２１２を例に挙げて本実施形態を説明する。
【００１９】
上述したようにレンズ鏡筒２００に対して回転筒を回転させることによりレンズ枠に固定されたフォーカスレンズ２１２は光軸Ｌ１方向に直進移動するが、その駆動源としてのレンズ駆動モータ２３０がレンズ鏡筒２００に設けられている。レンズ駆動モータ２３０と回転筒とは、たとえば複数の歯車からなる変速機で連結され、レンズ駆動モータ２３０の駆動軸を何れか一方向へ回転駆動すると所定のギヤ比で回転筒に伝達され、そして、回転筒が何れか一方向へ回転することで、レンズ枠に固定されたフォーカスレンズ２１２が光軸Ｌ１の何れかの方向へ直進移動することになる。なお、レンズ駆動モータ２３０の駆動軸が逆方向に回転駆動すると、変速機を構成する複数の歯車も逆方向に回転し、フォーカスレンズ２１２は光軸Ｌ１の逆方向へ直進移動することになる。
【００２０】
フォーカスレンズ２１２の位置はエンコーダ２６０によって検出される。既述したとおり、フォーカスレンズ２１２の光軸Ｌ１方向の位置は回転筒の回転角に相関するので、たとえばレンズ鏡筒２００に対する回転筒の相対的な回転角を検出すれば、その位置を求めることができる。
【００２１】
本実施形態のエンコーダ２６０としては、回転筒の回転駆動に連結された回転円板の回転をフォトインタラプタなどの光センサで検出して、回転数に応じたパルス信号を出力するものや、固定筒と回転筒の何れか一方に設けられたフレキシブルプリント配線板の表面のエンコーダパターンに、何れか他方に設けられたブラシ接点を接触させ、回転筒の移動量（回転方向でも光軸方向の何れでもよい）に応じた接触位置の変化を検出回路で検出するものなどを用いることができる。
【００２２】
絞り２２０は、上記撮影光学系を通過して、カメラボディ１００に備えられた撮像素子１１０に至る光束の光量を制限するとともにボケ量を調整するために、光軸Ｌ１を中心にした開口径が調節可能に構成されている。絞り２２０による開口径の調節は、たとえば自動露出モードにおいて演算された適切な開口径が、カメラ制御部１７０からレンズ制御部２５０を介して絞り駆動部２４０へ送信されることにより行われる。また、開口径の調節は、カメラボディ１００に設けられた操作部１５０を介したマニュアル操作により、設定された開口径がカメラ制御部１７０からレンズ制御部２５０を介して絞り駆動部２４０へ送信されることによっても行われる。なお、絞り２２０の開口径は図示しない絞り開口センサにより検出され、レンズ制御部２５０で現在の開口径が認識される。
【００２３】
一方、カメラボディ１００は、被写体からの光束を撮像素子１１０、ファインダ１３５、測光センサ１３７および焦点検出モジュール１６１へ導くためのミラー系１２０を備える。このミラー系１２０は、回転軸１２３を中心にして被写体の観察位置と撮像位置との間で所定角度だけ回転するクイックリターンミラー１２１と、このクイックリターンミラー１２１に軸支されてクイックリターンミラー１２１の回動に合わせて回転するサブミラー１２２とを備える。図１においては、ミラー系１２０が被写体の観察位置にある状態を実線で示し、被写体の撮像位置にある状態を二点鎖線で示す。
【００２４】
ミラー系１２０は、被写体の観察位置にある状態では光軸Ｌ１の光路上に挿入される一方で、被写体の撮像位置にある状態では光軸Ｌ１の光路から退避するように回転する。
【００２５】
クイックリターンミラー１２１はハーフミラーで構成され、被写体の観察位置にある状態では、被写体からの光束（光軸Ｌ１）の一部の光束（光軸Ｌ２，Ｌ３）を当該クイックリターンミラー１２１で反射してファインダ１３５および測光センサ１３７に導き、一部の光束（光軸Ｌ４）を透過させてサブミラー１２２へ導く。これに対して、サブミラー１２２は全反射ミラーで構成され、クイックリターンミラー１２１を透過した光束（光軸Ｌ４）を焦点検出モジュール１６１へ導く。
【００２６】
したがって、ミラー系１２０が観察位置にある場合は、被写体からの光束（光軸Ｌ１）はファインダ１３５、測光センサ１３７および焦点検出モジュール１６１へ導かれ、撮影者により被写体が観察されるとともに、露出演算やフォーカスレンズ２１２の焦点調節状態の検出が実行される。そして、撮影者がレリーズボタンを全押しするとミラー系１２０が撮影位置に回動し、被写体からの光束（光軸Ｌ１）は全て撮像素子１１０へ導かれ、撮影した画像データを図示しないメモリに保存する。
【００２７】
クイックリターンミラー１２１で反射された被写体からの光束（光軸Ｌ２）は、撮像素子１１０と光学的に等価な面に配置された焦点板１３１に結像し、ペンタプリズム１３３と接眼レンズ１３４とを介して観察可能になっている。このとき、透過型液晶表示器１３２は、焦点板１３１上の被写体像に焦点検出エリアマークなどを重畳して表示するとともに、被写体像外のエリアにシャッター速度、絞り値、撮影枚数などの撮影に関する情報を表示する。これにより、撮影者は、撮影準備状態において、ファインダ１３５を通して被写体およびその背景ならびに撮影関連情報などを観察することができる。
【００２８】
また、接眼レンズ１３４の近傍には、測光用レンズ１３６と測光センサ１３７とが設けられ、焦点板１３１に結像した被写体光の一部を受光する。
【００２９】
測光センサ１３７は、二次元カラーＣＣＤイメージセンサなどで構成され、撮影の際の露出値を演算するため、撮影画面を複数の領域に分割して領域ごとの輝度に応じた測光信号を出力する。測光センサ１３７で検出された信号はカメラ制御部１７０へ出力され、自動露出制御や特定被写体の検出に用いられる。
【００３０】
焦点検出モジュール１６１は、被写体光を用いた位相差検出方式による自動合焦制御を実行するための焦点検出素子であり、サブミラー１２２で反射した光束（光軸Ｌ４）の、撮像素子１１０の撮像面と光学的に等価な位置に固定されている。
【００３１】
図２は、図１に示す焦点検出モジュール１６１の構成例を示す図である。本実施形態の焦点検出モジュール１６１は、コンデンサレンズ１６１ａ、一対の開口が形成された絞りマスク１６１ｂ、一対の再結像レンズ１６１ｃおよび一対のラインセンサ１６１ｄを有する。また、図示していないが、本実施形態のラインセンサ１６１ｄは、撮像光学系の予定焦点面近傍に配置されたマイクロレンズと、このマイクロレンズに対して配置された光電変換素子とを有する画素が複数配列された画素列を備えている。フォーカスレンズ２１２の射出瞳の異なる一対の領域を通る一対の光束を、一対のラインセンサ１６１ｄに配列された各画素で受光することで、一対の像信号を取得することができる。そして、一対のラインセンサ１６１ｄで取得した一対の像信号の位相ずれを、後述する相関演算によって求めることにより焦点調節状態を検出することができる。
【００３２】
例えば、図２に示すように、被写体Ｐが撮像素子１１０の等価面（予定結像面）１６１ｅで結像すると合焦状態となるが、フォーカスレンズ２１２が光軸Ｌ１方向に移動することで、結像点が等価面１６１ｅより被写体側にずれたり（前ピンと称される）、カメラボディ側にずれたりすると（後ピンと称される）、ピントずれの状態となる。
【００３３】
なお、被写体Ｐの結像点が等価面１６１ｅより被写体側にずれると、一対のラインセンサ１６１ｄで検出される一対の像信号の間隔Ｗが、合焦状態の間隔Ｗと比べて短くなり、逆に被写体Ｐの結像点がカメラボディ１００側にずれると、一対のラインセンサ１６１ｄで検出される一対の像信号の間隔Ｗが、合焦状態の間隔Ｗに比べて長くなる。
【００３４】
すなわち、合焦状態では一対のラインセンサ１６１ｄで検出される像信号が、それぞれのラインセンサの中心に対して重なるが、非合焦状態ではラインセンサの中心に対して像信号がずれ、すなわち位相差が生じるので、この位相差（ずれ量）に応じた量だけフォーカスレンズ２１２を移動させることでピントを合わせることができる。
【００３５】
また、図３は、撮影光学系の撮影画面５０内に設定された複数の焦点検出エリアの配置例を示す図である。図３に示すように、撮影光学系の撮影画面５０内には複数の焦点検出エリアＡＦＰが設定されている。そして、焦点検出モジュール１６１には、各焦点検出エリアＡＦＰに対応して、一対のラインセンサ１６１ｄが備えられており、これにより、各焦点検出エリアＡＦＰにおける像信号を取得できるようになっている。本実施形態では、図３においてＡＦＰ１〜５１で示すように、５１点の焦点検出エリアＡＦＰが設けられており、それぞれの焦点検出エリアＡＦＰが撮像素子１１０の撮像範囲の所定位置に対応している。なお、焦点検出エリアＡＦＰの個数および配置は、図３に示す態様に限定されるものではない。
【００３６】
図１に戻り、ＡＦ−ＣＣＤ制御部１６２は、オートフォーカスモードにおいて、焦点検出モジュール１６１のラインセンサ１６１ｄのゲインや蓄積時間などの蓄積条件を制御するものであり、焦点検出モジュール１６１に備えられた複数対のラインセンサ１６１ｄにて検出された像信号を各焦点検出エリアＡＦＰに対応させて読み出し、読み出した像信号をカメラ制御部１７０およびデフォーカス演算部１６３へ出力する。
【００３７】
デフォーカス演算部１６３は、ＡＦ−ＣＣＤ制御部１６２から送られてきた各焦点検出エリアＡＦＰに対応した一対の像信号のずれ量をデフォーカス量に変換し、これをレンズ駆動量演算部１６４へ出力する。
【００３８】
レンズ駆動量演算部１６４は、デフォーカス演算部１６３から送られてきたデフォーカス量に基づいて、当該デフォーカス量に応じたレンズ駆動量Δｄを演算し、これをレンズ駆動制御部１６５へ出力する。
【００３９】
レンズ駆動制御部１６５は、レンズ駆動量演算部１６４から送られてきたレンズ駆動量Δｄに基づいて、レンズ駆動モータ２３０を駆動し、フォーカスレンズ２１２の位置を調整する。
【００４０】
撮像素子１１０は、カメラボディ１００の、被写体からの光束の光軸Ｌ１上であって、レンズ２１１，２１２，２１３を含む撮影光学系の予定焦点面に設けられ、その前面にシャッター１１１が設けられている。この撮像素子１１０は、複数の光電変換素子が二次元に配置されたものであって、二次元ＣＣＤイメージセンサ、ＭＯＳセンサまたはＣＩＤなどのデバイスから構成することができる。撮像素子１１０で光電変換された画像信号は、カメラ制御部１７０で画像処理されたのち図示しないメモリに保存される。なお、撮影画像を格納するメモリは内蔵型メモリやカード型メモリなどで構成することができる。
【００４１】
カメラ制御部１７０はマイクロプロセッサとメモリなどの周辺部品から構成され、撮像素子１１０から画像信号を読み出すとともに、必要に応じて所定の情報処理を施して、画像データを生成し、生成した画像データを、図示しないメモリに記憶させる。この他にも、カメラ制御部１７０は、撮影画像情報の補正、レンズ鏡筒２００の焦点調節状態の検出、および絞り調節状態の検出など、カメラ１全体の制御を司る。
【００４２】
また、カメラ制御部１７０は、撮像素子１１０から読み出した画像信号に基づいて画像データを生成する際に、画像データを圧縮する圧縮処理を行う。なお、画像データの圧縮方法は、特に限定されないが、たとえば、ＪＰＥＧなどの規格に基づいて、生成される画像データのデータ容量を圧縮することができる。なお、圧縮処理における画像データの画像圧縮率は、撮影者により操作部１５０を介して設定される他、後述するカメラ１の動作において、カメラ制御部１７０により設定される。
【００４３】
操作部１５０は、例えば、シャッターレリーズボタン、およびカメラ１の各種動作モードを設定するためのモード設定スイッチなどを備えており、操作部１５０により、オートフォーカスモード／マニュアルフォーカスモードの切換ができるようになっている。また、シャッターレリーズボタンのスイッチは、ボタンの半押しでＯＮとなる第１スイッチＳＷ１と、ボタンの全押しでＯＮとなる第２スイッチＳＷ２とを含む。
【００４４】
また、操作部１５０は、カメラ制御部１７０により生成される画像データの画像圧縮率を設定するための設定ダイヤルを備えている。たとえば、本実施形態では、操作部１５０に備える設定ダイヤルにより、画像圧縮率に関する画質モードを選択することで、生成される画像データの画像圧縮率を設定することができる。たとえば、本実施形態では、画質モードを「ＦＩＮＥ」、「ＮＯＲＭＡＬ」、「ＢＡＳＩＣ」の中から選択することができ、「ＦＩＮＥ」が選択された場合には、生成される画像データのデータ容量は約１／４に圧縮され、「ＮＯＲＭＡＬ」が選択された場合には、生成される画像データのデータ容量は約１／８に圧縮され、「ＢＡＳＩＣ」が選択された場合には、画像データのデータ容量は約１／１６に圧縮される。なお、上述した画質モードと画像圧縮率との関係は一例であり、これに限定されるものではない。
【００４５】
次に、図４を参照して、本実施形態に係るカメラ１の動作例を説明する。図４は、本実施形態に係るカメラ１の動作を示すフローチャートである。なお、図４に示すカメラ１の動作は、たとえば、カメラ１の電源がオンされることにより開始される。
【００４６】
ステップＳ１０１では、カメラ制御部１７０により、操作部１５０に備えられたシャッターレリーズボタンの半押し（第１スイッチＳＷ１のオン）がされたか否かの判断が行なわれる。第１スイッチＳＷ１がオンした場合は、ステップＳ１０２に進み、一方、第１スイッチＳＷ１がオンしていない場合は、第１スイッチＳＷ１がオンされるまで、ステップＳ１０１で待機する。
【００４７】
ステップＳ１０２では、光学系の焦点状態を検出するために、焦点検出演算が行われる。具体的には、まず、焦点検出モジュール１６１のラインセンサ１６１ｄにより電荷の蓄積が行われ、ラインセンサ１６１ｄで蓄積された信号情報が、デフォーカス演算部１６３により読み出される。また、デフォーカス量演算部１６３は、撮影画面５０内に設定された焦点検出エリアＡＦＰごとに信号情報を読み出し、読み出した信号情報に基づいて、デフォーカス量の演算を行う。たとえば、本実施形態では、図３に示すように、５１点の焦点検出エリアＡＦＰが設けられおり、デフォーカス量演算部１６３は、５１点の焦点検出エリアＡＦＰの全てにおいて、デフォーカス量の算出を行う。
【００４８】
ステップＳ１０３では、カメラ制御部１７０により、測光センサ１３７から被写体認識用の画像信号が取得され、取得された画像信号に基づいて、特定被写体の検出が行われる。たとえば、特定被写体として人物の顔を認識する場合、カメラ制御部１７０は、人物の顔のテンプレート画像を用いてテンプレートマッチングを行ない、撮影画像中から人物の顔を、特定被写体として検出する。なお、特定被写体は、特に限定されず、たとえば、動物の顔などを特定被写体として検出してもよい。
【００４９】
次いで、ステップＳ１０４では、カメラ制御部１７０により、ステップＳ１０３で検出された特定被写体（たとえば、人物の顔）を捕捉している焦点検出エリアＡＦＰが、特定被写体対応エリアとして検出される。具体的には、カメラ制御部１７０は、ステップＳ１０３で検出された撮影画面５０内の特定被写体（たとえば、人物の顔）の位置に対応する焦点検出エリアＡＦＰを、特定被写体対応エリアとして検出する。また、本実施形態において、カメラ制御部１７０は、たとえば、特定被写体として人物の顔を検出した場合に、その人物の体の位置に対応する焦点検出エリアＡＦＰも、特定被写体対応エリアとして検出するために、特定被写体の位置に対応していない焦点検出エリアＡＦＰのうち、デフォーカス量が、特定被写体の位置に対応する焦点検出エリアＡＦＰから所定範囲内となる焦点検出エリアＡＦＰも、特定被写体対応エリアとして検出する。
【００５０】
ここで、図５〜図７は、特定被写体対応エリアの一例を示す図である。図５〜図７においては、特定被写体対応エリアとして検出される焦点検出エリアＡＦＰを灰色で表しており、それ以外の焦点検出エリアＡＦＰを白塗りで表している。なお、図５〜図７に示す例では、人物の顔が特定被写体として検出される場面を例示している。
【００５１】
たとえば、図５に示す例において、カメラ制御部１７０は、特定被写体として検出された人物の顔を捕捉している４３個の焦点検出エリアＡＦＰを、特定被写体対応エリアとして検出する。
【００５２】
また、図６に示す例において、カメラ制御部１７０は、特定被写体である人物の顔の位置に対応する焦点検出エリアＡＦＰと、デフォーカス量が、特定被写体に対応する焦点検出エリアＡＦＰのデフォーカス量から所定範囲内となる焦点検出エリアＡＦＰの計１５個の焦点検出エリアＡＦＰを、特定被写体対応エリアとして検出する。同様に、図７に示す例において、カメラ制御部１７０は、４個の焦点検出エリアＡＦＰを、特定被写体対応エリアとして検出する。
【００５３】
そして、ステップＳ１０５では、カメラ制御部１７０により、ステップＳ１０４において特定被写体対応エリアが４０点以上検出されたか否かの判断が行われる。特定被写体対応エリアが４０点以上検出された場合には、ステップＳ１１１に進み、一方、特定被写体対応エリアが４０点以上検出されなかった場合には、ステップＳ１０６に進む。たとえば、図５に示す例では、特定被写体対応エリアが４３点検出されており、特定被写体対応エリアが４０点以上検出されたと判断されるため、ステップＳ１１１に進む。一方、図６に示す例では、特定被写体対応エリアが１５点しか検出されておらず、また、図７に示す例でも、特定被写体対応エリアが４点しか検出されていないため、特定被写体対応エリアが４０点以上検出されなかったと判断され、ステップＳ１０６に進む。
【００５４】
ステップＳ１０６では、カメラ制御部１７０により、ステップＳ１０４において特定被写体対応エリアが２０点以上検出されたか否かの判断が行われる。特定被写体対応エリアが２０点以上検出された場合には、ステップＳ１１０に進み、一方、特定被写体対応エリアが２０点以上検出されなかった場合には、ステップＳ１０７に進む。なお、図６および図７に示す例ではともに、特定被写体対応エリアが２０点以上検出されていないため、ステップＳ１０７に進む。
【００５５】
ステップＳ１０７では、カメラ制御部１７０により、ステップＳ１０４において特定被写体対応エリアが１０点以上検出されたか否かの判断が行われる。特定被写体対応エリアが１０点以上検出された場合には、ステップＳ１０９に進み、一方、特定被写体対応エリアが１０点以上検出されなかった場合には、ステップＳ１０８に進む。たとえば、図６に示す例では、特定被写体対応エリアが１５点検出されているため、特定被写体対応エリアが１０点以上検出されたと判断され、ステップＳ１０９に進む。一方、図７に示す例では、特定被写体対応エリアが４点しか検出されていないため、特定被写体対応エリアが１０点以上検出されなかったと判断され、ステップＳ１０８に進む。
【００５６】
そして、ステップＳ１０６において、特定被写体対応エリアが２０点以上検出されたと判断された場合は、ステップＳ１１０に進み、カメラ制御部１７０により、画像データの画像圧縮率が、撮影者が設定した画像圧縮率よりも１段低い画像圧縮率に設定される。
【００５７】
ここで、図８は、特定被写体の撮影画面５０内における大きさに基づいて、画像データの画像圧縮率を設定する方法を説明するための図である。本実施形態では、図８に示すように、画像データのデータ容量を約１／８に圧縮する画像圧縮率（１／８倍の画像圧縮率）が、画像データのデータ容量を約１／１６に圧縮する画像圧縮率（１／１６倍の画像圧縮率）よりも、１段低い画像圧縮率として設定されており、また、画像データのデータ容量を約１／４に圧縮する画像圧縮率（１／４倍の画像圧縮率）が、画像データのデータ容量を約１／８に圧縮する画像圧縮率よりも１段低い画像圧縮率として設定されている。同様に、画像データの画像圧縮率は、１段下がるごとに、画像データのデータ容量が、約１／２倍、約３／４倍、約７／８倍、約１倍に圧縮されるように設定されている。
【００５８】
そのため、本実施形態では、１／１６倍の画像圧縮率に対して、１／４倍の画像圧縮率が２段低い画像圧縮率となり、１／２倍の画像圧縮率が３段低い画像圧縮率となっている。また同様に、１／８倍の画像圧縮率に対して、１／２倍の画像圧縮率が２段低い画像圧縮率となり、３／４倍の画像圧縮率が３段低い画像圧縮率となっている。さらに、１／４倍の画像圧縮率に対して、３／４倍の画像圧縮率が２段低い画像圧縮率となり、７／８倍の画像圧縮率が３段低い画像圧縮率となっている。
【００５９】
たとえば、ステップＳ１０７において、撮影者により、画像圧縮率に関する画質モードが、１／１６倍の画像圧縮率に対応する「ＢＡＳＩＣ」に設定されている場合、カメラ制御部１７０は、生成する画像データの画像圧縮率を、撮影者により設定された１／１６倍の画像圧縮率よりも１段低い１／８倍の画像圧縮率に設定する。同様に、たとえば、撮影者により画質モードが１／８倍の画像圧縮率に対応する「ＮＯＲＭＡＬ」に設定されている場合、カメラ制御部１７０は、図８に示すように、生成する画像データの画像圧縮率を、撮影者により設定されている１／８倍の画像圧縮率よりも１段低い１／４倍の画像圧縮率に設定し、また、撮影者により画質モードが１／４倍の画像圧縮率に対応する「ＦＩＮＥ」に設定されている場合、カメラ制御部１７０は、生成する画像データの画像圧縮率を、撮影者により設定されている１／４倍の画像圧縮率よりも１段低い１／２倍の画像圧縮率に設定する。
【００６０】
また、ステップＳ１０７において、特定被写体対応エリアが１０点以上検出された場合には、ステップＳ１０９に進み、カメラ制御部１７０により、画像データの画像圧縮率が、撮影者により設定された画像圧縮率よりも２段低い画像圧縮率に設定される。
【００６１】
たとえば、ステップＳ１０９において、撮影者により、画質モードが、１／１６倍の画像圧縮率に対応する「ＢＡＳＩＣ」に設定されている場合、カメラ制御部１７０は、図８に示すように、生成する画像データの画像圧縮率を、撮影者により設定されている１／１６倍の画像圧縮率よりも２段低い１／４倍の画像圧縮率に設定する。また同様に、カメラ制御部１７０は、たとえば、撮影者により画質モードが１／８倍の画像圧縮率に対応する「ＮＯＲＭＡＬ」に設定されている場合、生成する画像データの画像圧縮率を１／８倍の画像圧縮率よりも２段低い１／２倍の画像圧縮率に設定し、さらに、撮影者により画質モードが１／４倍の画像圧縮率に対応する「ＦＩＮＥ」に設定されている場合、生成する画像データの画像圧縮率を１／４倍の画像圧縮率よりも２段低い３／４倍の画像圧縮率に設定する。
【００６２】
さらに、ステップＳ１０７において、特定被写体対応エリアが１０点以上検出されなかった場合には、ステップＳ１０８に進み、カメラ制御部１７０により、画像データの画像圧縮率が、撮影者により実際に設定された画像圧縮率よりも３段低い画像圧縮率に設定される。
【００６３】
たとえば、ステップＳ１０８において、撮影者により、画質モードが、１／１６倍の画像圧縮率に対応する「ＢＡＳＩＣ」に設定されている場合、カメラ制御部１７０は、図８に示すように、生成する画像データの画像圧縮率を、撮影者により設定されている１／１６倍の画像圧縮率よりも３段低い１／２倍の画像圧縮率に設定する。また同様に、カメラ制御部１７０は、たとえば、撮影者により画質モードが１／８倍の画像圧縮率に対応する「ＮＯＲＭＡＬ」に設定されている場合、生成する画像データの画像圧縮率を１／８倍の画像圧縮率よりも３段低い３／４倍の画像圧縮率に設定し、さらに、撮影者により画質モードが１／４倍の画像圧縮率に対応する「ＦＩＮＥ」に設定されている場合、生成する画像データの画像圧縮率を１／４倍の画像圧縮率よりも２段低い７／８倍の画像圧縮率に設定する。
【００６４】
このように、本実施形態において、カメラ制御部１７０は、撮像された特定被写体の撮影画面５０内における大きさが小さいほど、画像データの画像圧縮率を低くすることで、撮影後に、撮影者が特定被写体を含む所定範囲の画像を切り出し、切り出した画像を拡大するトリミング処理を行った場合でも、トリミング処理後の画質が良好な画像を得ることができる。特に、撮像された特定被写体が小さいほど、撮影者は、特定被写体の拡大倍率が大きくなるようにトリミング処理を行うものと判断され、撮像された特定被写体が小さいほど、トリミング処理後の画像の画質は低下するものと判断される。そのため、撮像された特定被写体の撮影画面５０内における大きさが小さいほど、画像データの画像圧縮率を低くすることで、トリミング処理において、撮影者が、撮像された特定被写体の大きさに応じて、切り出した画像の拡大倍率を変えた場合でも、トリミング処理後の画像を良好な画像で得ることができる。なお、上述した画像データの画像圧縮率と段数との関係は一例であって、上記の例に限定されるものではない。
【００６５】
一方、ステップＳ１０５において、特定被写体対応エリアが４０点以上検出されたと判断された場合には、ステップＳ１１１に進む。ステップＳ１１１では、画像圧縮率は変更されず、撮影者により設定された画像圧縮率のまま維持される。すなわち、ステップＳ１１１では、特定被写体に対応する特定被写体対応エリアが４０点以上検出されているため、カメラ制御部１７０は、撮像された特定被写体は十分に大きく、撮影後に、撮影者が、撮影した画像から特定被写体を含む所定範囲の画像を切り出して、特定被写体を含む所定範囲の画像を拡大するトリミング処理を行わないものと判断し、撮影者が設定した画像圧縮率で画像データを生成するために、画像データの画像圧縮率を、撮影者が設定した画像圧縮率のままとする。
【００６６】
そして、ステップＳ１１２では、レンズ駆動量演算部１６４により、ステップＳ１０２で算出したデフォーカス量に基づいて、フォーカスレンズ２１２を合焦位置まで駆動させるのに必要となるレンズ駆動量の演算が行われる。これにより、算出されたレンズ駆動量が、レンズ制御部２５０を介して、フォーカスレンズ駆動モータ２３０に送出され、フォーカスレンズ駆動モータ２３０により、レンズ駆動量に基づくフォーカスレンズ２１２の駆動が行われる。
【００６７】
ステップＳ１１３では、カメラ制御部１７０により、操作部１５０に備えられたシャッターレリーズボタンの全押し（第２スイッチＳＷ２のオン）がされたか否かの判断が行なわれる。第２スイッチＳＷ２がオンされない場合には、第２スイッチＳＷ２がオンされるまで、ステップＳ１１３で待機し、一方、第２スイッチＳＷ２がオンされると、ステップＳ１１４に進み、被写体像の撮影が行なわれる。
【００６８】
以上のように、本実施形態に係るカメラ１は動作する。
【００６９】
このように、本実施形態では、特定被写体の撮影画面５０内における大きさを検出し、特定被写体の撮影画面５０内における大きさが小さいほど、画像データの画像圧縮率を低くする。これにより、本実施形態では、特定被写体の撮影画面５０内における大きさが小さいほど、高い画質で画像を撮影することができるため、たとえば、撮影された特定被写体が小さいために、撮影後に、撮影者が撮影された画像から特定被写体を含む所定範囲の画像を切り出し、切り出した画像を拡大するトリミング処理を行った場合でも、トリミング処理後における画像の画質を良好なものとすることができる。特に、本実施形態では、特定被写体の撮影画面５０内における大きさに合わせて、段階的に、画像データの画像圧縮率を設定することで、トリミング処理において、撮影者が、撮像された特定被写体の大きさに応じて、切り出した画像の拡大倍率を変えた場合でも、トリミング処理後の画像を、良好な画質で得ることができる。
【００７０】
以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００７１】
たとえば、上述した実施形態では、特定被写体の撮影画面５０内における大きさに基づいて、画像データの画像圧縮率を設定し、設定した画像圧縮率で画像データを生成する構成を例示したが、この構成に加えて、たとえば、特定被写体の撮影画面５０内における大きさに基づいて、撮像素子１１０の撮像範囲を決定し、決定した撮像素子１１０の撮像範囲から出力された画像信号に基づいて、画像データを生成する構成としてもよい。具体的には、カメラ制御部１７０は、特定被写体の撮影画面５０内における大きさが小さいほど、画像データの画像圧縮率を低くするとともに、撮像素子１１０の撮像範囲を狭い範囲に設定する。これにより、画像データの画像圧縮率を低くした場合でも、生成される画像データのデータ容量を有効に抑えることができる。また、特定被写体の撮影画面５０内における大きさが小さいほど、撮像素子１１０の撮像範囲を狭い範囲とすることで、撮影後に、撮影者がトリミング処理を行う手間を省くこともできる。なお、カメラ制御部１７０は、撮像素子１１０の撮像範囲から出力された画像信号を読み出し、読み出した画像信号のうち、特定被写体の撮影画面５０内における大きさに応じた撮像範囲内の画像信号のみを用いて画像データを生成する構成としてもよい。
【００７２】
また、上述した実施形態では、特定被写体を捕捉している焦点検出エリアＡＦＰの数に基づいて、特定被写体の撮影画面５０内における大きさを検出しているが、この構成に限定されるものではなく、たとえば、測光センサ１３７により、特定被写体の輝度を検出し、検出された輝度と同程度の輝度を有する領域の広さに基づいて、特定被写体の撮影画面５０内における大きさとして検出する構成としてもよい。この場合も、特定被写体の撮影画面５０内における大きさを適切に検出することができる。
【００７３】
さらに、上述した実施形態では、特定被写体の撮影画面５０内における大きさに基づいて、画像データの画像圧縮率を、３段階に分けて引き下げる構成を例示したが、この構成に限定されるものではなく、たとえば、特定被写体の撮影画面５０内における大きさに基づいて、画像データの画像圧縮率を４段階以上に分けて引き下げる構成としてもよいし、あるいは、１段階または２段階に分けて引き下げる構成としてもよい。
【００７４】
また、上述した実施形態では、たとえば、人物の顔を特定被写体とした場合に、特定被写体である人物の顔だけではなく、人物の体を捕捉している焦点検出エリアＡＦＰを、特定被写体対応エリアとして検出するために、デフォーカス量が、特定被写体の位置に対応する焦点検出エリアＡＦＰにおけるデフォーカス量から所定範囲内となる焦点検出エリアＡＦＰを、特定被写体対応エリアとして検出する構成を例示したが、この構成に限定されるものではなく、たとえば、人物の顔などの特定被写体の位置に対応する焦点検出エリアＡＦＰのみを、特定被写体対応エリアとして検出する構成としてもよい。
【００７５】
なお、上述した実施形態のカメラ１は特に限定されず、例えば、デジタルビデオカメラ、レンズ交換式のデジタルカメラ、レンズ一体型のデジタルカメラ、携帯電話用のカメラなどのその他の光学機器に本発明を適用してもよい。
【符号の説明】
【００７６】
１…一眼レフデジタルカメラ
１００…カメラボディ
１１０…撮像素子
１３７…測光センサ
１５０…操作部
１６１…焦点検出モジュール
１７０…カメラ制御部
２００…レンズ鏡筒
２１２…フォーカスレンズ
２３０…フォーカスレンズ駆動モータ
２５０…レンズ制御部
【図１】
2013131851.tif 000003
【図２】
2013131851.tif 000004
【図３】
2013131851.tif 000005
【図４】
2013131851.tif 000006
【図５】
2013131851.tif 000007
【図６】
2013131851.tif 000008
【図７】
2013131851.tif 000009
【図８】
2013131851.tif 000010